(57)【特許請求の範囲】
【請求項１】
対向接合された管体のフランジ部を有する管路における漏洩を通水条件を保持した条件下で対向接合された管体のフランジ部を緊締されたままの状態として利用し補修するための管体フランジ部漏洩補修機構であって、
対向接合された管体のフランジ部に係止する係合段部を両側に対設したハウジングを前記管体の円周方向において分割成形し、それら分割ハウジング間に連結手段を配設すると共に該ハウジングの内面に形成された収容部に前記した管体フランジ部の接合部に臨ませられた内腔を有するパッキングを収容し、前記分割ハウジング間を前記連結手段で連結することによって前記パッキングを管体の半径方向へ押圧し該パッキングの内腔両側に上記した管体フランジ部の外周面に接合するリップ部を対向環設し、前記管体フランジ部は管体の周面から垂直に立ち上がる形状を有する
ことを特徴とする管体フランジ部漏洩補修機構。
【請求項２】
分割ハウジングの分割端部に緊締座を突設し、対向接合された管体フランジ部の外側方向に突設されたそれら緊締座間に連結緊締手段を設けたことを特徴とする請求項１に記載の管体フランジ部漏洩補修機構。
【請求項３】
分割ハウジングの外側に対向接合された管体のフランジ部外側面に係止するストッパーを配設したことを特徴とする請求項１または２の何れか１つに記載の管体フランジ部漏洩補修機構。
【発明の詳細な説明】
【０００１】
【発明の属する技術分野】
本発明は管体フランジ部漏洩補修機構に係り、接続された管体間における漏洩発生を該管体における通水条件下において、しかもコンパクトな機構により的確に補修することのできる手段を提供しようとするものである。
【０００２】
【従来の技術】
接続された管路における漏洩発生の主要部位として接続フランジ部間が挙げられることは明かであり、即ちフランジ部間に内装されたパッキング自体およびその周辺は漏洩発生の可能性が最も高い部分であるが、このようなフランジ間の漏洩発生に際しては従来管路内の通水を閉塞し、パッキング等を交換することが一般的である。
【０００３】
【発明が解決しようとする課題】
ところが前記したような従来技術において上記のように管路における通水を閉塞して補修することは該管路系の全般における給水等を停止することであって管路系全域における作業ないし生活等に対する影響が大である。従って斯様な場合に通水条件を保持した条件下で補修することについてもそれなりに検討がなされているようであるが、フランジ部パッキングなどの損傷したような場合に故障部はフランジ部に包囲された条件下であり、また接続された両管体は影響するところからその補修は何れにしても大型な部体を必要とし、また工数の多いものとならざるを得ない。
【０００４】
【課題を解決するための手段】
本発明は上記したような従来技術における課題を解消することについて検討を重ねた結果、連結緊締されている両管体のフランジ部を緊締されたままの状態として利用することにより比較的簡易且つコンパクトな機構によって平易に補修することに成功したものであって以下の如くである。
【０００５】
(1) 対向接合された管体のフランジ部を有する管路における漏洩を通水条件を保持した条件下で対向接合された管体のフランジ部を緊締されたままの状態として利用し補修するための管体フランジ部漏洩補修機構であって、対向接合された管体のフランジ部に係止する係合段部を両側に対設したハウジングを前記管体の円周方向において分割成形し、それら分割ハウジング間に連結手段を配設すると共に該ハウジングの内面に形成された収容部に前記した管体フランジ部の接合部に臨ませられた内腔を有するパッキングを収容し、前記分割ハウジング間を前記連結手段で連結することによって前記パッキングを管体の半径方向へ押圧し該パッキングの内腔両側に上記した管体フランジ部の外周面に接合するリップ部を対向環設し、前記管体フランジ部は管体の周面から垂直に立ち上がる形状を有する
ことを特徴とする管体フランジ部漏洩補修機構。
【０００６】
(2)   分割ハウジングの分割端部に緊締座を突設し、対向接合された管体フランジ部の外側方向に突設されたそれら緊締座間に連結緊締手段を設けたことを特徴とする前記（１）項に記載の管体フランジ部漏洩補修機構。
【０００７】
(3)   分割ハウジングの外側に対向接合された管体のフランジ部外側面に係止するストッパーを配設したことを特徴とする前記（１）項または（２）項の何れか１つに記載の管体フランジ部漏洩補修機構。
【０００８】
【発明の実施の形態】
上記したような本発明によるものの具体的な実施態様を添附図面に示すものについて説明すると、接続すべき両管体１０、１０の端部にはそれぞれフランジ部１１、１１が設けられ、それらのフランジ部１１、１１間には図３に示すようにパッキングなどのシール材１２を介装せしめ、フランジ部１１、１１に挿入緊締されるボルト１３とナット１４によって連結されていることは図１〜図３にそれぞれ示されている如くで、この図１〜図３のものにおいてはボルト１３の両端にそれぞれ袋ナット１４、１４を螺合して緊締するように成っている。
【０００９】
本発明においては前記したような構成のものにおいて、図１または図３に示すように対向接合された両管体１０、１０のフランジ部１１、１１に係止する係合段部６をもったハウジング１を前記管体１０およびフランジ部１１の円周方向において複数個に分割成形し、それら分割ハウジング１、１間に緊締座７を対設してボルト、ナットのような連結手段９を配設すると共にそれらハウジング１、１・・・・の内面に形成された収容部４に前記したような管体１０におけるフランジ部１１、１１の外周面である周側接合部１５に臨ませられたパッキング２を収容したものである。
【００１０】
なお前記パッキング２には図２、３に示すような内腔５が形成され、このような内腔５の両側に対設されたリップ部８は上記したような管体フランジ部１１、１１の外周面１５に対しこれらの図２および図３に示す如く接合設定され、管体１０、１０の接続部から漏出した流体圧がこれらのリップ部８、８に作用しシール作用力を高めるように対向環設されている。
【００１１】
またこの図１〜図３に示したものは別に本発明において比較的小型な管体１０に対するものとして図４において示すようにハウジング１ａの両側に管体１０のフランジ部１１に対し直接に係合する係合突部１６を環設すると共にハウジング１ａの端部に形成された緊締座７ａ、７ａを単一のボルト１７とナット１８によって緊締するようにしてもよい。
【００１２】
上記したような本発明によるものは対向接合された管体のフランジ部に係止する係合段部を両側に対設したハウジングを前記管体の円周方向において分割成形し、それら分割ハウジング間に連結手段を配設すると共に該ハウジングの内面に形成された収容部に前記した管体フランジ部の接合部に臨ませられた内腔を有するパッキングを収容したことにより漏洩を生じているフランジ部に対し添設されしかも該フランジ部に対する緊締ボルト部分を除外したコンパクトなハウジング部体を用いて漏洩補修を的確に達成せしめることができ、漏洩補修を簡便且つ迅速に行わしめる。
【００１３】
また前記パッキングの内腔両側に上記した管体フランジ部の外周面に接合するリップ部を対向環設したことによりフランジ部から漏洩する流体の圧力を利用してフランジ部に対しパッキングのシールを行わしめ、即ち、上記のように取扱操業の容易な機構において流体圧により常に好ましいシール関係を形成せしめることができる。
【００１４】
なお本発明のものは分割ハウジングの分割端部に緊締座を突設し、対向接合された管体フランジ部の外側方向に突設されたそれら緊締座間に連結緊締手段を設けたことによって接続された管体フランジ部をベースとしたコンパクトな機構により上記したような補修目的を達成せしめる。
【００１５】
更に本発明のものは分割ハウジングの外側に対向接合された管体フランジ部外側面に係止するストッパーを配設したことによって比較的簡易且つコンパクトな構成によって上記したような本発明の目的を有効に達成する。
【００１６】
【発明の効果】
以上説明したような本発明によるときは漏洩を発生している管体フランジ部の外縁部分のような限られた範囲をベースとしたコンパクトな機構により的確な補修を有効に達成せしめ、従ってその補修操作が簡潔且つ容易であるなどの効果を有しており、工業的にその効果の大きい発明である。
【図面の簡単な説明】
【図１】本発明によるフランジ部漏洩補修機構の１例を示した管軸直角方向における端面図である。
【図２】図１に示したものの管軸平行方向から見た部分的な切断側面図である。
【図３】図２に示したものの一部についての拡大図である。
【図４】比較的小径の管に対する本発明フランジ部漏洩補修機構の１例を示した斜面図である。
【符号の説明】
１      ハウジング
１ａ    ハウジング
２      パッキング
４      収容部
５      内腔
６      係合段部
７      緊締座
７ａ    緊締座
８      リップ部
９      連結手段（ボルト、ナット）
１０    管体
１１    そのフランジ部
１２    シール材
１３    ボルト
１３ａ  ボルト
１４    袋ナット
１５    周側接合部
１６    係合突部
１７    緊締ボルト
１８    ナット
【図１】
0004149036.tif 000002
【図２】
0004149036.tif 000003
【図３】
0004149036.tif 000004
【図４】
0004149036.tif 000005